(57)【要約】【課題】上ケース１の上面の所定位置に表示体２を備えた電子楽器において、表示体２を複数の任意の位置に角度保持できるようにし、回転軸に指等を引っかけることがないようにし、回転軸な見えないようにして外観を良くする。【解決手段】上ケース１の操作パネル面に収納凹部１２を設ける。表示体２の下部を収納凹部１２の前端部でヒンジ機構により回動自在に保持する。延設部２１１の後端面を回動軸よりカバー２１内部へ延出する。表示体２のカバー２１の裏面に形成した延設部２１１を収納凹部１２の開口部１２ａから上ケース１内に貫通する。上ケース１の内側において延設部２１１の端部に任意角度保持機構を連結する。任意角度保持機構は、ロック機構ブロックと延設部２１１の端部に連結されるリンク部材とにより構成し、上ケース１の内部に固着する。【選択図】図１
2007051786.tif 000002
【特許請求の範囲】
【請求項１】
ケース体と、
後端面を回動軸より前記ケース体内部へ延出し、ヒンジ機構に軸支され前記ケース体の上面に回動自在に配設された可動体と、
リンク部材と、
前記可動体の回動方向に応じた第１、第２の異なる案内溝を有するとともに該リンク部材の一端を前記案内溝に嵌合しながら移動可能にして該一端を前記一方の案内溝の所定位置でロックするロック機構ブロックとを有する任意角度保持機構であって、
前記ヒンジ機構の一端は、前記可動体内部の左右２箇所に、他端はケース体に対して固着され、その回動軸を回動体内部に構成し、
前記リンク部材の他端が前記可動体の延出した部分に連結されるとともに前記ロック機構ブロックが前記ケース体に連結され、該可動体を任意の角度に保持する任意角度保持機構と、
を備え、
前記任意角度保持機構を前記ケース体の内側に取り付けたことを特徴とする電子楽器。
【請求項２】
請求項１に記載の電子楽器であって、
さらに、前記延出した部分と前記ヒンジ機構との間にトルク機構が形成されることを特徴とする電子楽器。
【発明の詳細な説明】
【技術分野】
【０００１】
本発明は、ケース体の上面の所定位置に表示体などの可動体を備えた電子楽器に関する。
【背景技術】
【０００２】
従来、液晶表示器等の可動体を備えた電子機器として、例えば液晶表示器を表示パネルに用いたノート型パソコンがある。周知のようにノート型パソコンでは表示器パネルがキーボードの蓋の役目をしていて、この表示器パネルを開いて所望の角度に保持するようになっている。そして、この表示器パネルの角度を保持する角度保持機構としては表示パネルの下端部と本体とを連結する蝶番等の摩擦を大きくした摩擦機構が採用されている。
【０００３】
また、液晶表示器等の角度保持機構として、特許２７８１７６０号公報に開示されたものがある。この特許２７８１７６０号公報のものは、表示器パネル（液晶表示装置）の背面の略中央にロックプレートの一端を軸支し、この揺動自在なロックプレートの他端を、ベースの上面に形成された複数の凸部に係止することで、表示器パネルを複数の位置に角度保持するようにしている。
【特許文献１】特許２７８１７６０号公報
【発明の開示】
【発明が解決しようとする課題】
【０００４】
しかし、角度保持機構として前記ノート型パソコンのような摩擦機構を採用したものにおいて、長期使用していると、経年変化により摩擦力が低下して表示器パネルを所定位置に保持する能力が低下する恐れがある。このため、軽い力でも表示器パネルが回動転倒してしまい、最悪の場合は表示器パネルに衝撃が加えられて破壊されてしまう恐れもある。
【０００５】
また、特許２７８１７６０号公報に開示されている技術においては、角度保持機構（ロックプレートやベースの上面の凸部）が外部に露出しているので、この角度保持機構に外力や衝撃が加えられて、この機構自体を破壊してしまう恐れがある。さらに、この露出された角度保持機構に手などを挟んでしまう恐れもある。なお、その他の角度保持機構においてもその一部でも露出していると、同様な問題が生じる。
【０００６】
本発明は、ケース体の上面の所定位置に表示体などの可動体を備えた電子機器において、可動体を例えば複数の任意の位置に角度保持できるようにするとともに、可動体を確実に保持して可動体の転倒等による破壊を防止し、さらに、角度保持機構自体の破壊防止や使用時の安全対策を図ることを課題とする。
【課題を解決するための手段】
【０００７】
請求項１の電子楽器は、ケース体と、後端面を回動軸より前記ケース体内部へ延出し、ヒンジ機構に軸支され前記ケース体の上面に回動自在に配設された可動体と、リンク部材と、前記可動体の回動方向に応じた第１、第２の異なる案内溝を有するとともに該リンク部材の一端を前記案内溝に嵌合しながら移動可能にして該一端を前記一方の案内溝の所定位置でロックするロック機構ブロックとを有する任意角度保持機構であって、前記ヒンジ機構の一端は、前記可動体内部の左右２箇所に、他端はケース体に対して固着され、その回動軸を回動体内部に構成し、前記リンク部材の他端が前記可動体の延出した部分に連結されるとともに前記ロック機構ブロックが前記ケース体に連結され、該可動体を任意の角度に保持する任意角度保持機構と、を備え、前記任意角度保持機構を前記ケース体の内側に取り付けたことを特徴とする。
【０００８】
請求項２の電子楽器は、請求項１に記載の電子楽器であって、さらに、前記延出した部分と前記ヒンジ機構との間にトルク機構が形成されることを特徴とする。
【発明の効果】
【０００９】
請求項１によれば、可動体（カバー２１）を左右方向に貫通するような回転軸とはなっていないので、指などを軸に引っかけることもなく安全で、回動軸自体が外から視認されないので見栄えもよい。
【００１０】
請求項２によれば、可動体の回動力に抵抗が加わり、その自重で回動する場合にゆっくりと回動させることができる。また、回転軸と離間してトルク機構が設けられているので、構造を複雑化せずに上記抵抗を加える機構を実現できる。
【発明を実施するための最良の形態】
【００１１】
以下、図面を参照して本発明の実施形態について説明する。図１は実施形態の鍵盤式電子楽器（電子機器）の要部斜視図であり、電子楽器の略中央部を後方側から見た状態を示している。なお、この電子楽器において、演奏時の演奏者側（鍵盤側）を「前部」あるいは「前方」とし、その反対側を「後部」あるいは「後方」とし、さらに「左右」とは電子楽器の正立状態で前部から向かって右左とする。この電子楽器の本体ケースは、合成樹脂製の上ケース（ケース体）１と図示しない下ケースとで構成されており、上ケース１の上面において鍵盤１０より後方側の面は操作パネル面１１となっている。この操作パネル面１１には、音色選択スイッチや各種機能スイッチなどの多数の操作スイッチ２０が配設され、さらに操作パネル面１１の一部には収納凹部１２が形成されている。
【００１２】
収納凹部１２は、平面形状が矩形状で左右にテーパを有する均一深さとされ、操作パネル面１１の途中から後方側の背面パネル１３の部分まで形成されている。そして、収納凹部１２に可動体としての表示体２が配設されている。表示体２は、収納凹部１２の前方側内部において後述のヒンジ機構により軸支され、左右方向を回動軸として前後方向に回動可能となっている。また、表示体２のカバー２１の背面には、後述の延設部２１１がカバー２１と一体に形成されるとともに、後述のトルク機構（摩擦機構）に係合する大歯車２１２が取り付けられている。
【００１３】
収納凹部１２の中央後方端部には係合爪１２１が配設されるとともに、表示体２の中央上端部には係合爪１２１に着脱自在となる係合部２２が形成されており、表示体２を後方側に倒して収納凹部１２内に収納したとき係合部２２が係合爪１２１に係合し、表示体２が上ケース１に固定される。また、係合部２２の突起２２１を操作することにより、係合部２２が係合爪１２１から解放され、表示体２を起こすことができる。
【００１４】
図２は上ケース１の裏面側の要部を示す斜視図であり、電子楽器の前方下部から見た状態を示している。なお、同図は表示体２を収納凹部１２内に収容した状態である。上ケース１の裏面側には、前記収納凹部１２に対応する矩形台状の膨出部１２Ｒが形成されており、この膨出部１２Ｒの図において左側（電子楽器の右側）には第１プリント基板３０１が配設され、膨出部１２Ｒの前方側には第２プリント基板３０２が配設され、さらに、膨出部１２Ｒの図において右側（電子楽器の左側）には第３プリント基板３０３が配設されている。また、背面パネル１３の裏面及びその他の所定箇所には、図示しない下ケースのボスと当接する当接部１４が形成されており、この当接部１４と下ケースのボスとを下ケース側からネジ止めすることにより、上ケース１と下ケースとが合体される。
【００１５】
膨出部１２Ｒ（収納凹部１２の裏面）の前方左右端部の２箇所には、後述図５及び図６で詳細に説明するヒンジ機構３の蝶番３１が取り付けられている。また、膨出部１２Ｒの中央部の第２プリント基板３０２の近傍には矩形の開口部１２ａが形成されており、この開口部１２ａに前記表示体２の延設部２１１が貫通されている。さらに、膨出部１２Ｒにおいて開口部１２ａと一方のヒンジ機構３との間にはトルク機構４が形成されている。トルク機構４は、膨出部１２Ｒに固定され回転摩擦を発生する摩擦発生器４１とこの摩擦発生器４１の軸に固定されたピニオン４２とで構成され、このピニオン４２に表示体２の大歯車２１２が係合されている。そして、表示体２の回動と共に大歯車２１２が回動しようとすると、摩擦発生器４１によりピニオン４２の回転に摩擦力が働き、さらに大歯車２１２とピニオン４２のギヤ比が大きいことから、表示体２の回動力に抵抗が加わる。この抵抗は表示体２がその自重で回動する場合にゆっくりと回動する程度である。上記トルク機構は、金属軸とそれを包むゴム体の回転手段や、オイルダンパ機構で実現できる。
【００１６】
膨出部１２Ｒ（収納凹部１２の裏面）の中央には任意角度保持機構５が配設されている。任意角度保持機構５は、膨出部１２Ｒにおいて開口部１２ａの後方に互いに平行に対向して配置された２つのロック機構ブロック５１，５１と、一端をロック機構ブロック５１，５１に嵌合され、他端を表示体２の延設部２１１の端部２１１ａに連結されたリンク部材５２とで構成されている。２つのロック機構ブロック５１，５１は合成樹脂により互いに鏡像対称の形状に成形されており、後述図３及び図４で詳細に説明する案内溝５１１を備えている。リンク部材５２は金属製であり、リンク５２１の一端にガイドピン５２２を固定するとともに、リンク５２１の他端に固定板５２３をヒンジ５２４で連結して構成されている。そして、固定板５２３が延設部２１１の端部２１１ａに固定され、ガイドピン５２２がロック機構ブロック５１，５１の案内溝５１１に嵌合されている。
【００１７】
図５及び図６はヒンジ機構３を示す断面図である。なお、両図は図２のＡ−Ａ矢視断面図に対応しており、図５は表示体２を収納凹部１２内に収容した状態、図６は表示体２を収納凹部１２から起こした状態を示している。ヒンジ機構３の蝶番３１は回動板３１ａと固定板３１ｂを軸３１ｃで連結して構成されている。表示体２のカバー２１の下端部は断面円弧状にされ、該カバー２１の左右２箇所（２組のヒンジ機構に対応する位置）に開口２１ａが形成されている。また、カバー２１の内部の該開口２１ａの近傍にはボス２１ｂが形成され、該ボス２１ｂに蝶番３１の回動板３１ａがネジ止めされている。また、上ケース１の膨出部１２Ｒ（収納凹部１２の裏面）の前方端部にはボス１２Ｒ−１が形成され、このボス１２Ｒ−１に蝶番３１の固定板３１ｂがネジ止めされている。
【００１８】
以上のようにヒンジ機構３は、表示体２を操作パネル面１１に回動自在に保持するヒンジ機構として、軸３１ｃ及び回動板３１ａがカバー２１内に内装され、一端部がカバーに固着され、他端部をカバー２１外に突設された固定板３１ｂが延設して設けられ、この固定板３１ｂをケース体１内部からケース体１に対して固着した構成になっている。そして、表示体２は蝶番３，３の軸３１ｃ，３１ｃを軸として回動する。また、表示体２の回動軸は、カバー２１の内部において蝶番３１，３１の軸３１ｃ，３１ｃの部分により構成され、例えばカバー２１を左右方向に貫通するような実際の軸とはなっていない。すなわち、指などを軸に引っかけることもなく安全で、回動軸自体が外から視認されないので見栄えのよいものとなっている。
【００１９】
なお、蝶番３１，３１に摩擦機構を設けるようにしてもよいが、任意角度保持機構５により表示体２の角度を保持できるので、蝶番３１，３１に摩擦機構を必要とせず、簡単な構成となっている。
【００２０】
図３及び図４は任意角度保持機構５を示す要部断面図である。なお、両図は図２のＢ−Ｂ矢視断面図に対応しており、図３は表示体２を収納凹部１２内に収容した状態、図４は表示体２を収納凹部１２から起こした状態を示している。ロック機構ブロック５１の案内溝５１１は、下側の水平な第１溝５１１ａと、該第１溝５１１ａと水平板５１ａによって大半仕切られた上側の水平な第２溝５１１ｂと、第１溝５１１ａの下片に形成された４つの係合溝５１１ｃ，５１１ｄ，５１１ｅ，５１１ｆとで形成されている。また、ロック機構ブロック５１は案内溝５１１の後方側の一部において開口５１ｂを有するとともに水平板５１ａから厚さを薄くして開口５１ｂ上に延設された羽根板５１ｃを有している。羽根板５１ｃの端部は第１溝５１１ａと第２溝５１１ｂとを前記リンク部材５２のガイドピン５２２の径より小さな幅で連通するだけで、この羽根板５１ｃの端部は該羽根板５１ｃの弾性により自由端となっている。
【００２１】
以上の構成により、表示体２を収納凹部１２から起こすと、すなわち蝶番３１，３１の軸３１ｃ，３１ｃを回動軸として図３において反時計回りに回動すると、表示体２の延設部２１１に連結されたリンク部材５２が移動し、ガイドピン５２２が第１溝５１１ａに倣って後方側（図の右側）に移動する。ガイドピン５２２が第１溝５１１ａの後端部の傾斜面まで移動し、表示体２をさらに回動するとガイドピン５２２が傾斜面に倣って羽根板５１ｃを押し上げ、該ガイドピン５２２は第２溝５１１ｂに移動する。ここから表示体２を図３において時計回りに回動すると、ガイドピン５２２は羽根板５１ｃ上で第２溝５１１ｂに倣って前方側（図の左側）に移動する。そして、ガイドピン５２２が第２溝５１１ｂの前端部の傾斜面まで移動し、表示体２をさらに回動するとガイドピン５２２がこの傾斜面に倣って第１溝５１１ａに移動する。以上のことから、上記羽根板５１ｃはピン移動の逆止弁の機能を果たしている。
【００２２】
このように表示体２を収納凹部１２から最大の起立位置（ガイドピン５２２が第２溝５１１ｂの後端部に当接する位置）まで起こし、再び収納部１２に収納すると、その間にガイドピン５２２は第１溝５１１ａ→第２溝５１１ｂ→第１溝５１１ａと移動する。そこで、ガイドピン５２２が第１溝５１１ａ内にあるときに、表示体２を後方側に倒すと（図３において時計回りに回動すると）、ガイドピン５２２が、係合溝５１１ｃ，５１１ｄ，５１１ｅ，５１１ｆのうちガイドピン５２２より前方側にある係合溝に係合し、それ以上表示体２が収納凹部１２側に回動（転倒）することがなくなる。すなわち、複数の係合溝５１１ｃ，５１１ｄ，５１１ｅ，５１１ｆに対応して、複数の任意の位置で表示体２の角度を保持することができる。したがって、演奏者（ユーザ）は表示体２を所望の角度に設定することができ、表示体２の表示の視認性が向上する。
【００２３】
なお、図２に示したように、上ケース１の背面パネル１３と任意角度保持機構５のロック機構ブロック５１，５１との間には水平断面「ヨ」字状の突部１５が形成されており、ロック機構ブロック５１，５１の後端部はこの突部１５に当接するようになっている。これにより、表示体２を最大の起立位置まで起こた状態で、さらに表示体２を前側に倒そうとする力が加わっても、ロック機構ブロック５１，５１が耐えられるように補強されている。
【００２４】
以上のように任意角度保持機構５は、リンク部材５２と該リンク部材５２の一端を嵌合しながら移動可能にして該一端を所定位置でロックするロック機構ブロック５１とを有する任意角度保持機構であって、一方が表示体（可動体）２に連結されるとともに他方がケース体１に連結され、該表示体２を任意の角度に保持する構成になっている。すなわち、ロック機構ブロック５１はリンク部材５２のガイドピン５２２の移動経路を第１溝５１１ａと第２溝５１１ｂのみの経路に規制し、表示体２の回動範囲を規制するリミッタの役割をする。したがって、表示体２を必要以上に回動あるいは転倒してしまうこともないので、この表示体２の破壊等を防止することができる。
【００２５】
また、任意角度保持機構５はケース体１の内側に取り付けられ、この任意角度保持機構５と表示体２との連結部（延設部２１１の端部２１１ａとリンク部材５２の固定板５２３）もケース体１の内側にある。すなわち、ケース体１の外側に任意角度保持機構５が露出していないので、この任意角度保持機構５自体を破壊するようなこともなく、また、任意角度保持機構５に手などを挟む恐れもない。
【００２６】
図３及び図４に示したように、表示体２の延設部２１１は、ヒンジ機構３の軸３１ｃを中心とする断面円弧状でカバー２１の背面部２１−１から膨出された湾曲部２１１−１と、この湾曲部２１１−１からカバー２１の背面部２１−１と平行に該カバー２１の下端部側に形成された矩形部２１１−２とで構成されている。湾曲部２１１−１は、表示体２の回動により収納凹部１２に対して開口部１２ａから出没するが、矩形部２１１−２は、膨出部１２Ｒ（収納凹部１２の裏面）の前方側近傍でケース体１の内側において移動（回動）する。また、延設部２１１には、表示体２を収納凹部１２内に収容した状態（図３）において上ケース１の裏面に対向する部分に、開口２１１−３が形成されている。そして、表示体２の内部の回路部に接続されたフラットケーブル等の配線ケーブル２３が、カバー２１内から湾曲部２１１−１、矩形部２１１−２及び開口２１１−３を介して上ケース１の内部に引き出されている。また、図２に示したようにこの配線ケーブル２３は、表示回路等を搭載した第２プリント基板３０２においてコネクタ３０２ａに接続されている。
【００２７】
以上説明したように、この実施例では表示体である可動体は、その終端面２１１−４をその回動軸（回動支点部）よりケース体１内部へ延出し、この延出部（延設部２１１）に任意角度保持機構５の一方を回動自在に設けている。この技術思想により、任意角度保持機構をケース体に内装してかつ可動体の角度保持を任意に行うことが可能となっている。また、上記延出部がケーブル配線のための可動体回動全範囲のカバーとなし得るので、外から配線部が見えて見苦しいということもないことにもつながっている。
【００２８】
なお、回路設計に応じて配線ケーブル２３は第１プリント基板３０１あるいは第３プリント基板３０３側に接続できることはいうまでもないが、このような場合でも、例えば図７に示したように、延設部２１１に隣接している第２プリント基板３０２に押え部材３０２ｂを設け、この押え部材３０２ｂに配線ケーブル２３を引っかけてから第１プリント基板３０１あるいは第３プリント基板３０３側に配線するとよい。なお、図７では第１プリント基板３０１側に配線されている状態を示しているが、第３プリント基板３０３側に配線する場合は配線ケーブル２３は反対側に折り曲げることはいういまでもない。このように、配線ケーブル２３を第２プリント基板３０２に配線するか、押え部材３０２ｂを設けると、表示体２の回動時にも配線ケーブル２３の撓み変形がほんの一部分だけとなるので上ケース１内の配線が安定する。
【００２９】
以上のように、任意角度保持機構５を上ケース１に固着する際にこの任意角度保持機構５をカバー２１に固着したリンク部材５２の固定板５２３に対する延設部２１１の内部を介して、表示体２の回路部から配線ケーブル２３を配設するような構造になっている。したがって、配線ケーブル２３が上ケース１の外部に露出せず、断線がきわめてされにくく、安全配線設計となっている。
【００３０】
また、任意角度保持機構５における収納時として設定される表示体２の操作パネル面１１に対する配設位置に、収納凹部１２を設け、この収納凹部１２に表示体２を嵌合させて収納するようにしているので、表示体２の収納時に操作パネル面１１から表示体２が出っ張らず、操作パネル面１１がスマートになる。
【００３１】
また、表示体２の回動支点部（蝶番３１，３１の軸３１ｃ，３１ｃ）を支点として回動するとともに、カバー２１の延設部２１１は、回動支点部と交差する方向において該支点部近傍に設けられ、表示体２の収納時に、操作パネル面１１に設けた収納凹部１２から開口部１２ａを介してさらに内部に配設するようにしている。したがって、配線ケーブル２３の配線スペースを無理なく確保できている。
【００３２】
実施形態における表示体は液晶パネル等をカバーで覆ったものであるが、フレーム等を有する表示体であって、このフレームを任意角度保持機構の一端に連結するような構成でもよい。
【００３３】
また、実施形態では可動体が表示体である場合について説明したが、この可動体は電子楽器の上面に設けられる譜面台でもよい。
【００３４】
また、実施形態では電子鍵盤楽器を例に説明したが、本発明は他の各種電子機器に適用できることはいうまでもない。
【図面の簡単な説明】
【００３５】
【図１】本発明の実施形態の鍵盤式電子楽器の要部斜視図である。
【図２】本発明の実施形態における上ケースの裏面側の要部を示す斜視図である。
【図３】本発明の実施形態における表示体を収納凹部内に収容した状態の任意角度保持機構を示す要部断面図である。
【図４】本発明の実施形態における表示体を収納凹部から起こした状態の任意角度保持機構を示す要部断面図である。
【図５】本発明の実施形態における表示体を収納凹部内に収容した状態のヒンジ機構示す要部断面図である。
【図６】本発明の実施形態における表示体を収納凹部から起こした状態のヒンジ機構示す要部断面図である。
【図７】本発明の他の実施形態を示す図である。
【符号の説明】
【００３６】
１…上ケース（ケース体）、２…表示体（可動体）、３…ヒンジ機構、１１…操作パネル面、１２…収納凹部、１２ａ…開口部、２１…カバー、２１１…延設部、５…任意角度保持機構、５１…ロック機構ブロック、５２…リンク部材、５１１…案内溝、５２２…ガイドピン
【図１】
2007051786.tif 000003
【図２】
2007051786.tif 000004
【図３】
2007051786.tif 000005
【図４】
2007051786.tif 000006
【図５】
2007051786.tif 000007
【図６】
2007051786.tif 000008
【図７】
2007051786.tif 000009